(57)【要約】【課題】  データ放送の内容は、即時性のある番組や双方向性のある番組などが多いため記録されているデータ放送内容によっては、内容に視聴する価値の無いものや使用できないものがあること、記録装置で停止、早送り、早戻しなどの操作を行うと頻繁にデータ放送データの取り直しが発生し操作性が著しく低下する等の問題点を解決することを目的とする。【解決手段】  テレビジョン信号を受信しかつ外部記録装置より入力される番組を復号する受信装置において、再生されるデータ放送データと、現在放送されているデータ放送データを選択する手段を備え、受信装置において再生されている番組のデータ放送データの代わりに、受信機のチューナを現在再生している番組の放送局にチャネルをあわせ、現在放送されている番組の最新のデータ放送データを選択することにより、即時性に価値のある番組や双方向性のある番組を、優先的に選択し視聴することを可能とする。【選択図】  図１
2006080867.tif 000002
【特許請求の範囲】
【請求項１】
テレビジョン信号を受信しかつ外部記録装置より入力される番組を復号する受信装置において、再生されるデータ放送データと、現在放送されているデータ放送データを選択する手段を有することを特徴とする受信装置。
【請求項２】
請求項１において、
選択されるデータ放送データは、現在放送されているデータ放送データを優先して選択することを特徴とする受信装置。
【請求項３】
請求項１において、
テレビジョン信号を受信し、外部記録装置より入力される番組を再生する受信装置において、再生される番組の放送チャネルにチューナを選局する手段を有することを特徴とする。
【発明の詳細な説明】
【技術分野】
【０００１】
本発明はデジタルＴＶ放送の受信及び記録再生の可能な受信装置に関するものである。
【背景技術】
【０００２】
近年、次世代のＴＶ放送方式として、デジタルＴＶ放送が注目されている。
そのため、デジタルＴＶ放送用受信デコーダ（以下ＳＴＢ；セットトップボックスと呼ぶ）の開発が進められると共に、日本においても放送衛星を用いたデジタルＴＶ放送が開始されている。
【０００３】
このデジタル放送においては、今までの音声と映像による放送だけでなく、天気予報やニュースなどのデータ放送と呼ばれるデジタルデータ等も放送されている。
【０００４】
このデータ放送は、比較的少ないデータが放送局から繰り返し送出されており、チャンネル切り替えや、電源投入時になるべく短い時間で表示できるようになっている。
【０００５】
一方、これらのデジタル放送をデジタルＶＴＲ等の記録装置と上記ＳＴＢとをデジタル信号で伝送および記録することにより、信号の劣化を低減することができる。
【０００６】
そこで、デジタルＶＴＲ等の記録装置とＳＴＢとの接続において従来のアナログ入出力による接続でなく、ＩＥＥＥ１３９４等のデジタルインターフェースによる接続が提案されている。
【０００７】
特開２０００−２９３９４０においては、デジタルＶＴＲとＳＴＢとの接続において、操作性の良い記録方法が提案されている。
【０００８】
また、デジタルＶＴＲ等の記録装置では、コスト削減のため、ＳＴＢ側でのみデジタル放送の復号処理を行う回路を持ち、記録装置側では復号処理を行わず、再生されたデジタル信号をＳＴＢ側に送り、ＳＴＢ側で復号処理を行うデジタルＶＴＲが提案されている。
【特許文献１】特開２０００−２９３９４０号公報
【発明の開示】
【発明が解決しようとする課題】
【０００９】
しかしながら、データ放送の内容は、天気予報やニュースなどの即時性のある番組や、テレホンショッピングやテレビバンキングなどの双方向性のある番組などが多いため、記録されているデータ放送内容によっては、内容に視聴する価値の無いものや使用できないものがあった。
【００１０】
また、記録装置で、停止、早送り、早戻しなどの操作を行うと、頻繁にデータ放送データの取り直しが発生し、操作性が著しく低下していた。
そこで本発明の課題は上記の問題点を解決することを目的とする。
【課題を解決するための手段】
【００１１】
上記の課題を解決するために本発明における受信装置によれば、テレビジョン信号を受信しかつ外部記録装置より入力される番組を復号する受信装置において、再生されるデータ放送データと、現在放送されているデータ放送データを選択する手段を有することを特徴とする。
【発明の効果】
【００１２】
以上述べたように本発明における受信装置によれば、受信装置において再生されている番組のデータ放送データの代わりに、受信機のチューナを現在再生している番組の放送局にチャネルをあわせ、現在放送されている番組の最新のデータ放送データを選択することにより、天気予報やニュースなどの即時性に価値のある番組や、テレビショッピング、テレビバンキングなどの双方向性のある番組を、優先的に選択し、視聴することができる。
【００１３】
また、再生番組を早送り、巻き戻し、一時停止などの操作により、データ放送データの取り直しなどが発生せずにすみ、快適に録画番組と現在放送されているデータ放送番組を視聴することができる。
【発明を実施するための最良の形態】
【００１４】
以下、図面を用いて本発明の実施形態について詳細に説明する。
【００１５】
図１は本発明が適用されるデジタルテレビ放送記録システムにおける、デジタル記録装置とデジタル記録装置に接続された受信装置の構成を示した図である。
【００１６】
図１において、ＳＴＢ部１００と記録装置２００はＩＥＥＥ１３９４に従うＡＶバス１５０で接続されている。
【００１７】
最初に，ＳＴＢ部１００の構成を説明する。まずチューナ部１０１により受信した信号を外部表示装置に表示させ、番組を視聴する場合について説明する。
ＳＴＢ部１００において、不図示のアンテナもしくはケーブルにより供給された信号はチューナ部１０１に入力される。チューナ部１０１は受信した信号に対して，復調、誤り訂正等の処理を施し、トランスポートストリームと呼ばれる形式のデジタルデータを生成する。
【００１８】
更に生成したトランスポートストリーム（ＴＳ）データをデスクランブラ１０３へ出力する。
【００１９】
デスクランブラ１０３は、視聴制限のためスクランブルがかけられているＴＳデータがチューナ部１０１より入力された場合、ＴＳデータに含まれるデスクランブルのための鍵情報と不図示のＩＣカード制御部より出力される鍵情報とに基づいて、スクランブル解除を行いデマルチプレクサ１０３に出力する。
【００２０】
また、デスクランブラ１０３は、チューナ部１０１よりスクランブルがかけられていないＴＳデータを入力した場合には、ＴＳデータをそのまま、デマルチプレクサ１０５に出力する。
【００２１】
デマルチプレクサ１０５は、デスクランブラ１０３より入力された複数チャンネル分の映像データや音声データ、データ放送用データ等が時分割多重化されているＴＳデータの中から、操作部１２７の操作により選択されたチャンネルにおいて現在放送中の番組に係る映像データＤ１１及び音声データＤ１２、データ放送データＤ１３を取り出し、それぞれを切り替えスイッチ１３１、１３３、１３５の端子ａへ出力する。
【００２２】
一方、デマルチプレクサ１２９は、ＩＦ部１２３より出力される再生番組の映像データや音声データ、データ放送用データ等が時分割多重化されているＴＳデータの中から、映像データＤ２１及び音声データＤ２２、データ放送データＤ２３を取り出し、切り替えスイッチ１３１、１３３、１３５の端子ｂへ出力する。
【００２３】
切り替えスイッチ１３１では操作部１２７の操作に基づき、現在放送されている番組を視聴するならば、端子ａに接続し、再生している番組を視聴するならば端子ｂに接続し、映像データを選択しビデオデコーダ１０７へ出力する。
【００２４】
切り替えスイッチ１３５では操作部１２７の操作に基づき、現在放送されているデータ放送番組を視聴するならば、端子ａに接続し、再生しているデータ放送番組を視聴するならば端子ｂに接続し、選択されたデータ放送データをデータデコーダ１１１へ出力する。
【００２５】
切り替えスイッチ１３３では操作部１２７の操作に基づき、現在放送されている番組を視聴するならば、端子ａに接続し、再生している番組を視聴するならば端子ｂに接続し、選択されたオーディオデータをオーディオデコーダ１０９へ出力する。
【００２６】
ビデオデコーダ１０７は、切り替えスイッチ１３１より入力された映像データに対して、ＭＰＥＧ２のデコード処理を施し、復号した映像データを映像制御部１１３に出力する。
【００２７】
一方、データデコーダ１１１は、切り替えスイッチ１３５より入力されたデータ放送データに対して復号処理を行い、映像信号においては、映像制御部１１３へ出力するとともに、音声信号の場合は、音声制御部１１４へ出力する。
【００２８】
映像制御部１１３は、操作部１２７の操作に基づき、データデコーダ１１１より出力される、復号されたデータ放送番組の映像データと、ビデオデコーダ１０７から出力される映像信号を合成しＤ／Ａ変換部１１５に出力する。
【００２９】
Ｄ／Ａ変換部１１５は、映像制御部１１３より入力されたデジタル映像データをアナログ信号に変換し、映像出力端子１１９に出力する。
【００３０】
映像信号出力端子１１９は、Ｄ／Ａ変換部１１５より入力された映像信号を外部表示装置に出力する。
【００３１】
オーディオデコーダ１０８は、切り替えスイッチ１３３より入力された音声データに対して、ＭＰＥＧ２の音声デコード処理を施し、復号した音声データを音声制御部１１４に出力する。
【００３２】
音声制御部１１４は、操作部１２７の操作に基づき、データデコーダ１１１より出力する復号されたデータ放送番組の音声データと、オーディオデコーダ１０９から出力される音声信号を合成しＤ／Ａ変換部１１７に出力する。
【００３３】
Ｄ／Ａ変換部１１７は、音声制御部１１４より入力されたデジタル音声データをアナログ信号に変換し、音声出力端子１２１に出力する。
【００３４】
音声出力端子１２１は、Ｄ／Ａ変換部１１７より入力された音声信号を外部オーディオ機器に出力する。
【００３５】
次に、チューナ部１０１により受信された信号を記録装置２００において記録する場合のＳＴＢ部１００の動作について説明する。デスクランブラ１０３の動作は前述の動作と同様であるので省略する。
【００３６】
デマルチプレクサ１０５は、記録装置２００から、番組データ送信の要求があった場合に、デスクランブラ１０３より入力されたＴＳパケットの中から、送信要求のあったチャンネルにおいて現在放送中の番組に係る映像パケット及び音声パケット、及びデータ放送パケットを取り出し、それらをＩＦ部１２３に出力する。
【００３７】
制御部１２５は、入力されたチャンネル情報に基づいて、ＴＳパケットから映像パケット及び音声パケット、データ放送パケットを抽出するべくデマルチプレクサ１０５を制御する。
【００３８】
また、デマルチプレクサ１０５は、不図示のスイッチを備え、前記スイッチは、記録装置２００より番組データ送信の要求があった場合に、前述の如く抽出された映像パケット、音声パケット、及びデータ放送パケットをＩＦ部１２３に出力する様に接続されている。
【００３９】
ＩＦ部１２３は、デマルチプレクサ１０５より入力されたＴＳパケットを処理してＩＥＥＥ１３９４に従うフォーマットに変換し、記録装置２００のＩＦ部２０１に出力する。
【００４０】
また、制御部１２５は、マイクロコンピュータを含み、チャンネル選択、電源ＯＮ等の各種操作スイッチを有する操作部１２７の操作に応じて、チューナ部１０１、デマルチプレクサ１０５、デマルチプレクサ１２９、映像制御部１１３、音声制御部１１４、ＩＦ部１２３等を制御する。
【００４１】
次に、記録装置２００の構成を説明する。記録装置２００は、ＩＦ部２０１において、ＩＥＥＥ１３９４フォーマットで送られてくるＴＳパケットを受け取り、記録再生処理回路２０５に出力する。
【００４２】
記録再生処理回路２０５では、通常番組を構成するＴＳパケットに、同期、ＩＤ等の付加、誤り訂正符号、デジタル変調等の記録する為に必要な処理を施し記録再生回路２０７に出力する。
【００４３】
記録再生回路２０７は、記録再生処理回路２０５より出力した番組を構成する、映像パケット及び音声パケット及び、データ放送パケットを記録する。
【００４４】
記録再生回路２０７は、磁気ディスク等のメディアで構成されてもよく、また、磁気テープで構成されても良い。
【００４５】
また、記録再生回路２０７は、複数の記録メディアで構成されていてもよく、たとえば、通常の番組データを記録するメディアとして、ハードディスクなどの磁気ディスクで構成し、データ放送データは半導体素子などを用いたメモリーディスクで構成されていても良い。
【００４６】
次に、記録装置２００とＳＴＢ部１００の再生時の動作について説明する。
【００４７】
記録再生回路２０７に記録された番組を構成する、映像、音声，データ放送用データは、再生され、記録再生処理回路２０５に出力する。
【００４８】
記録再生処理回路２０５は、記録再生回路２０７より出力された、番組を構成する映像データ及び音声データ及び、データ放送データに対して、復調、誤り訂正等の処理を施し、ＩＦ部２０１へに出力する。ＩＦ部２０１では、ＩＥＥＥ１３９４フォーマットに変換しＳＴＢ部１００のＩＦ部１２３に出力する。
【００４９】
一方、ＳＴＢ部１００のＩＦ部１２３では、記録装置２００のＩＦ部２０１より入力された、
ＩＥＥＥ１３９４フォーマットで送られてくるＴＳパケットを受け取り、デマルチプレクサ１２９へ出力する。
【００５０】
ここで、デマルチプレクサ１２９では、再生している番組のチャネル情報を制御部１２５へ出力するとともに、映像データや音声データ、データ放送用データ等が時分割多重化されているＴＳデータの中から、映像データＤ２１及び音声データＤ２２、データ放送データＤ２３を取り出し、切り替えスイッチ１３１、１３３、１３５の端子ｂへ出力する。
【００５１】
制御部１２５では、デマルチプレクサ１２９より出力されるチャネル情報をもとに、チューナ部１０１を制御し、現在再生されている番組の放送局に選局する。デスクランブラ１０３、とデマルチプレクサ１０５は前述の動作と同様であるので省略する。
【００５２】
ここで、切り替えスイッチ１３５の端子ａには、現在再生して視聴している番組の放送局の最新のデータ放送データが入力されており、切り替えスイッチ１３５の端子ｂには、現在再生している番組のデータ放送データが入力されている。
【００５３】
再生動作時において、切り替えスイッチ１３５は通常端子ａに接続されており、現在放送されている番組の最新のデータ放送データを選択し、データデコーダ１１１へ出力する。
【００５４】
再生動作時において、切り替えスイッチ１３１は端子ｂに接続されており、現在記録装置２００で再生されている映像データを選択し、ビデオデコーダ１０７へ出力する。
【００５５】
再生動作時において、切り替えスイッチ１３３は端子ｂに接続されており、現在記録装置２００で再生されている音声データを選択し、オーディオデコーダ１０７へ出力する。
【００５６】
操作部１２７において、操作ボタンを操作することにより、切り替え端子１３５は端子ｂに接続することによって録画番組のデータ放送に切り替えることもできる。
【図面の簡単な説明】
【００５７】
【図１】本発明が適用される受信装置及び記録装置の構成を示すブロック図である。
【符号の説明】
【００５８】
１００  ＳＴＢ部
２００  記録装置
１０１  チューナ部
１０３、１２９  デスクランブラ
１０５  デマルチプレクサ
１０７  ビデオデコーダ
１０９  オーディオデコーダ
１１１  データデコーダ
１１３  映像制御部
１１４  音声制御部
１１５，１１７  Ｄ／Ａ変換部
１１９，１２１  出力端子
１２３，２０１  ＩＦ部
１２５  制御部
１２７  操作部
１３１，１３３，１３５  切り替えスイッチ
２０５  記録再生処理回路
２０７  記録再生回路
【図１】
2006080867.tif 000003